(57)【要約】【課題】釣り情報表示装置において、釣人が釣座を移動したり、魚とやりとりを行っている最中においても、釣り情報表示装置を視認できるようにする。【解決手段】取付用具７０は、釣り情報表示装置６０を釣人Ｐの脚部Ｌに着脱自在に取り付けるための部材であって、釣人Ｐが立った姿勢で表示部６３が上面に位置するように釣り情報表示装置６０を釣人Ｐの大腿部Ｌ１に取り付け可能な第１取付用具７４と、釣人Ｐが座った姿勢で表示部が上面に位置するように釣り情報表示装置６０を釣人Ｐの大腿部Ｌ１に取り付け可能な第２取付用具７５とを有している。第１取付用具７４は、本体部７１と、本体部７１の一端側に設けられ釣り情報表示装置６０に取付固定される第１取付部７２と、本体部７１の他端側に設けられ釣人Ｐの大腿部Ｌ１に着脱自在に取付可能な第２取付部７３とを有している。【選択図】図３
2011078372.tif 000002
【特許請求の範囲】
【請求項１】
釣りに関する各種の情報を表示する表示部を有する釣り情報表示装置を取り付けるための釣り情報表示装置の取付用具であって、
本体部と、
前記本体部の一端側に設けられ、前記釣り情報表示装置に取付固定される第１取付部と、
前記本体部の他端側に設けられ、釣人の正面側かつ腕部より下側の部位に着脱自在に取付可能な第２取付部と、
を備えた釣り情報表示装置。
【請求項２】
前記第２取付部は、前記釣人の脚部に着脱自在に取付可能である、請求項１に記載の釣り情報表示装置の取付用具。
【請求項３】
前記第２取付部は、前記釣人の大腿部に着脱自在に取付可能である、請求項１に記載の釣り情報表示装置の取付用具。
【請求項４】
前記第２取付部は、前記表示部が常に上面に位置するように取付可能である、請求項３に記載の釣り情報表示装置の取付用具。
【請求項５】
前記第２取付部は、前記釣人が立った姿勢で前記表示部が上面に位置するように取付可能な第３取付部と、前記釣人が座った姿勢で前記表示部が上面に位置するように取付可能な第４取付部とを有している、請求項４に記載の釣り情報表示装置の取付用具。
【請求項６】
前記第２取付部は、前記表示部の向きを変更する向き調整機構を有している、請求項４に記載の釣り情報表示装置の取付用具。
【請求項７】
前記本体部は、ベルト形状に形成され、
前記第２取付部は、ベルト形状の前記本体部を前記脚部に巻き付けることによって取り付ける、請求項１から６のいずれか１項に記載の釣り情報表示装置の取付用具。
【請求項８】
前記第２取付部は、表面に形成された面ファスナによって前記脚部に取り付固定する、請求項７に記載の釣り情報表示装置の取付用具。
【請求項９】
前記第１取付部は、ベルト形状の前記本体部を前記釣り情報表示装置に形成された挿通穴部に挿通することによって前記釣り情報表示装置に取り付固定する、請求項７又は８に記載の釣り情報表示装置の取付用具。
【請求項１０】
前記第１取付部は、前記釣り情報表示装置に着脱自在に装着される、請求項１から９のいずれか１項に記載の釣り情報表示装置の取付用具。
【請求項１１】
前記第１取付部は、前記釣り情報表示装置に着脱不能に固定される、請求項１から９のいずれか１項に記載の釣り情報表示装置の取付用具。
【発明の詳細な説明】
【技術分野】
【０００１】
本発明は、取付用具、特に、釣りに関する各種の情報を表示する表示部を有する釣り情報表示装置を取り付けるための釣り情報表示装置の取付用に関する。
【背景技術】
【０００２】
一般に、釣り用リールは、リール本体と、リール本体に装着されたスプールと、スプールを回転させるハンドルと、リール本体の上部に装着されるカウンタケースと、カウンタケースの上面に設けられ水深表示用の表示部を有する表示装置とを備えている。表示部は、たとえば液晶ディスプレイであり、棚位置や現在の仕掛けの水深等のリールに関する情報を表示することができる。
【０００３】
この種の表示装置を有する釣り用リールでは、カウンタケースの表示部にはリールに関する情報が表示される。しかし、近年、リールに関する情報が増加し、表示部に全ての情報を表示することが困難になりつつある。そこで、リールに関する情報を表示可能な表示部を有する釣り情報表示装置をリールの外部に設け、釣り船の船縁に着脱自在に装着したものが知られている（たとえば、特許文献１参照）。この釣り情報表示装置は、リールに関する情報を表示させるだけでなく、魚群探知機や全地球測位システム（ＧＰＳ）等からの釣りに関する情報を表示させることができる。また、魚群探知機等からの釣りに関する情報を表示する釣り情報表示装置には、釣り情報表示装置を釣竿に着脱自在に装着したり、釣り情報表示装置を釣人の腕に着脱自在に装着したものもが知られている（たとえば、特許文献２−４参照）。
【先行技術文献】
【特許文献】
【０００４】
【特許文献１】特許第４２２１２８１号公報
【特許文献２】特開平１１−２３７０８号公報
【特許文献３】特開２００２−２７２３３８号公報
【特許文献４】特開２００５−３３１３２３号公報
【発明の概要】
【発明が解決しようとする課題】
【０００５】
前記従来の釣り情報表示装置は、釣り船の船縁の所定の位置に装着されているので、釣人が釣竿を持って釣座を移動したときには、釣り情報表示装置を視認できなくなることがある。また、釣竿や釣人の腕に釣り情報表示装置が装着されている場合には、釣人が釣竿を脇に抱えて釣竿を上下に動かすジギング等の魚とやりとりを行っている最中には、釣竿や釣人の腕が激しく動くために、釣竿や釣人の腕に装着された釣り情報表示装置を視認することができなくなるおそれが生じる。
【０００６】
本発明の課題は、釣り情報表示装置において、釣人が釣座を移動したり、魚とやりとりを行っている最中においても、釣り情報表示装置を視認できるようにすることにある。
【課題を解決するための手段】
【０００７】
発明１に係る釣り情報表示装置の取付用具は、釣りに関する各種の情報を表示する表示部を有する釣り情報表示装置を取り付けるための釣り情報表示装置の取付用具であって、本体部と、第１取付部と、第２取付部とを備えている。第１取付部は、本体部の一端側に設けられ、釣り情報表示装置に取付固定される。第２取付部は、本体部の他端側に設けられ、釣人の正面側かつ腕部より下側の部位に着脱自在に取付可能である。
【０００８】
この釣り情報表示装置の取付用具では、釣り情報表示装置に取付固定される第１取付部と、釣人の正面側かつ腕部より下側の部位に着脱自在に取付可能な第２取付部とを有している。このような構成の取付用具を設けることによって、釣人の正面側かつ腕部より下側の部位、たとえば釣人の視界の範囲内となる、正面側の胸部、腹部、腰部、脚部等に釣り情報表示装置を着脱自在に装着することができるので、釣人が釣竿を持って釣座を移動したときでも、釣人の正面側かつ腕部より下側の部位に装着された釣り情報表示装置を視認できる。さらに、ジギング等の魚とやりとりを行っている最中において、釣竿や釣人の腕を激しく動かしたときでも、釣人の正面側かつ腕部より下側の部位に装着された釣り情報表示装置を視認できる。したがって、釣人が釣座を移動したり、魚とやりとりを行っている最中においても、釣り情報表示装置を視認できる。
【０００９】
発明２に係る取付用具は、発明１の取付用具において、第２取付部は、釣人の脚部に着脱自在に取付可能である。この場合、釣人が釣竿を持っているときに、釣人の腕部や釣竿が接触しにくい釣人の脚部に釣り情報表示装置を装着することにより、釣り情報表示装置の視認性を向上できる。
【００１０】
発明３に係る取付用具は、発明２の取付用具において、第２取付部は、釣人の大腿部に着脱自在に取付可能である。この場合、釣人の脚部のうち、釣人の顔に最も近い釣人の大腿部に釣り情報表示装置を装着できるので、釣り情報表示装置の視認性を向上できる。
【００１１】
発明４に係る取付用具は、発明３の取付用具において、第２取付部は、表示部が常に上面に位置するように取付可能である。この場合、表示部が上面に位置しているので、釣り情報表示装置の視認性をさらに向上できる。
【００１２】
発明５に係る取付用具は、発明４の取付用具において、第２取付部は、第３取付部と、第４取付部とを有している。第３取付部は、釣人が立った姿勢で表示部が上面に位置するように取付可能である。第４取付部は、釣人が座った姿勢で表示部が上面に位置するように取付可能である。この場合、釣人が立った姿勢または釣人が座った姿勢のいずれの姿勢であっても、表示部が上面に位置するようになっているので、釣人の姿勢に関わらず、釣り情報表示装置の視認性を向上できる。
【００１３】
発明６に係る取付用具は、発明４の取付用具において、第２取付部は、表示部の向きを変更する向き調整機構を有している。この場合、向き調整機構によって、表示部が上面に位置するようになっているので、釣人の姿勢に関わらず、釣り情報表示装置の視認性を向上できる。
【００１４】
発明７に係る取付用具は、発明１から６のいずれかの取付用具において、本体部は、ベルト形状に形成される。第２取付部は、ベルト形状の本体部を脚部に巻き付けることによって取り付ける。この場合、ベルト形状の本体部を脚部に巻き付けることによって、釣り情報表示装置の脚部への装着が容易になる。
【００１５】
発明８に係る取付用具は、発明７の取付用具において、第２取付部は、表面に形成された面ファスナによって脚部に取り付固定する。この場合、面ファスナによって、釣り情報表示装置の脚部への脱着が容易になる。
【００１６】
発明９に係る取付用具は、発明７又は８の取付用具において、第１取付部は、ベルト形状の本体部を釣り情報表示装置に形成された挿通穴部に挿通することによって釣り情報表示装置に取り付固定する。この場合、釣り情報表示装置に形成された挿通穴部にベルト形状の本体部を挿通する簡単な取付方法であるので、釣り情報表示装置の脚部への脱着が容易になる。
【００１７】
発明１０に係る取付用具は、発明１から９のいずれかの取付用具において、第１取付部は、釣り情報表示装置に着脱自在に装着される。この場合、釣り情報表示装置を船縁等で使用するときに、第１取付部が船縁等に接触したり破損したりすることを防止できる。
【００１８】
発明１１に係る取付用具は、発明１から９のいずれかの取付用具において、第１取付部は、釣り情報表示装置に着脱不能に固定される。この場合、釣り情報表示装置が強い力で引っ張られたとしても、釣り情報表示装置が外れてしまうことがなくなる。
【発明の効果】
【００１９】
本発明によれば、釣り情報表示装置において、釣り情報表示装置に取付固定される第１取付部と、釣人の正面側かつ腕部より下側の部位に着脱自在に取付可能な第２取付部を有しているので、釣人が釣座を移動したり、魚とやりとりを行っている最中においても、釣り情報表示装置を視認できる。
【図面の簡単な説明】
【００２０】
【図１】本発明の一実施形態による釣り情報表示装置が接続される電動リールの正面図。
【図２】釣り情報表示装置と電動リール及び魚群探知機との接続を示すブロック図。
【図３】前記釣り情報表示装置の正面図。
【図４】釣人が立った姿勢における釣り情報表示装置を釣人の大腿部に装着したときの模式図。
【図５】釣人が座った姿勢における釣り情報表示装置を釣人の大腿部に装着したときの模式図。
【図６】他の実施形態の釣人が立った姿勢における釣り情報表示装置を釣人の下腿部に装着したときの模式図。
【図７】他の実施形態の釣人が座った姿勢における釣り情報表示装置を釣人の下腿部に装着したときの模式図。
【発明を実施するための形態】
【００２１】
本発明の一実施形態が採用された釣り情報表示装置６０は、図２及び図３に示すように、外部の電動リール１００（図１及び図２参照）や魚群探知機９０（図２参照）から送信されたリールに関する各種の情報を表示するための比較的小型の表示装置である。
【００２２】
電動リール１００は、図１及び図２に示すように、釣竿Ｒに装着されるリール本体１と、リール本体１の側方に配置されたスプール回転用のハンドル２と、ハンドル２のリール本体１側に配置されたドラグ調整用のスタードラグ３とを主に備えている。
【００２３】
リール本体１は、図１に示すように、左右１対の第１側板７ａ及び第２側板７ｂとそれらを連結する複数の連結部材８とからなるフレーム７と、フレーム７の左右を覆う左右の第１側カバー９ａ及び第２側カバー９ｂとを有している。ハンドル２側（図１の右側）の第２側カバー９ｂには、ハンドル２の回転軸が回転自在に支持されている。
【００２４】
リール本体１の内部には、図１に示すように、ハンドル２に連結されたスプール１０が回転自在に支持されている。スプール１０の内部には、スプール１０を糸巻き上げ方向に回転駆動する直流駆動のモータ１２が配置されている。また、リール本体１のハンドル２側の側面には、クラッチレバー１１と、速度変更レバー１３とが配置されている。クラッチレバー１１は、第２側カバー９ｂのスプール１０の回転軸の後上方に設けられ、ハンドル２と、モータ１２及びスプール１０との駆動伝達をオン、オフするレバー部材である。速度変更レバー１３は、第２側カバー９ｂのスプール１０の回転軸の前上方に設けられ、モータ１２の回転をオン、オフするとともに、モータ１２の回転を停止状態から最大回転状態まで揺動により指定するためのレバー部材である。
【００２５】
リール本体１の上部には、図１に示すように、カウンタケース４が固定されている。カウンタケース４の上面には、仕掛けの水深や棚位置を水面からと底からとの２つの基準で表示するための液晶ディスプレイからなる表示部５と、表示部５の周囲に配置された操作部６とを有している。
【００２６】
カウンタケース４内の上部には、図２に示すように、表示部５と、表示制御及びモータ御を行う制御部３０とが配置されている。カウンタケース４内の下部にはモータ１２をＰＷＭ駆動するＰＷＭ駆動回路３１が配置されている。またカウンタケース４内の下部には、ブザー４０とスプールセンサ４１とが配置されている。
【００２７】
制御部３０は、カウンタケース４内に配置されたＣＰＵ、ＲＡＭ、ＲＯＭ、Ｉ／Ｏインターフェイス等を含むマイクロコンピュータを含んでいる。制御部３０は、制御プログラムに従って表示部５の表示制御やモータ駆動制御等の各種の制御動作を実行する。制御部３０には、図２に示すように、操作部６の各種のスイッチと、スプール１０の回転方向及び回転数（回転位置データ）を検出するためのスプールセンサ４１及びスプールカウンタ４２と、速度変更レバー１３とが接続されている。また、制御部３０には、ブザー４０と、ＰＷＭ駆動回路３１と、表示部５と、記憶部４３と、通信部４４と、他の入出力部とが接続されている。
【００２８】
ＰＷＭ駆動回路３１は、モータ１２を駆動するための駆動素子としてのＦＥＴを含んでいる。ＰＷＭ駆動回路３１は、制御部３０によりデューティ比が制御されてモータ１２を速度又は張力可変に駆動する。
【００２９】
スプールセンサ４１は、前後に並べて配置された２つのリードスイッチから構成されている。リードスイッチは、スプール１０に連動して回転する磁石ホイールに装着された２個の磁石を検出する。この検出パルスをスプールカウンタ４２で計数することでリールの回転数を検出できる。また、いずれのリードスイッチが先に検出パルスを発したかによりスプール１０の回転方向を検出できる。
【００３０】
スプールカウンタ４２は、スプールセンサ４１のオンオフ回数を計数するカウンタであり、この計数値によりスプール回転数に関する回転位置データやスプール回転速度が得られる。スプールカウンタ４２は、スプール１０が正転（糸繰り出し方向の回転）すると計数値が減少し、逆転すると増加する。
【００３１】
記憶部４３は、たとえばＥＥＰＲＯＭ等の不揮発メモリからなり、学習結果のデータや糸長算出時に使用する各種のデータ等が記憶されている。
【００３２】
通信部４４は、電動リール１００の外部に設けられた釣り情報表示装置６０の後述する通信部６５（図２参照）と各種の情報を送受信可能である。
【００３３】
釣り情報表示装置６０は、図３に示すように、本体部６４と、本体部６４に装着され各種の情報を表示可能な表示部６３と、表示部６３の周囲に配置され各種の操作を行う操作部６２と、本体部６４の内部に配置され各種のデータを記憶する記憶部６６とを有している。
【００３４】
釣り情報表示装置６０の内部には、図２に示すように、表示制御等を行うＣＰＵ、ＲＡＭ、ＲＯＭ、Ｉ／Ｏインターフェイス等を含むマイクロコンピュータからなる制御部６１を有している。制御部６１には、通信部６５、操作部６２の各種キー、各種の表示を行うための表示部６３、各種のデータを記憶する記憶部６６が接続されている。記憶部６６には、たとえば複数の誘いデータ等の各種のデータが保持され、これらのデータを元に釣人が釣り情報表示装置６０の操作部６２を操作することにより、通信部６５、通信部４４、制御部３０を介してリールの制御である棚停止機能、誘い機能や自動しゃくり機能等の制御を行うことができる。
【００３５】
操作部６２は、表示部６３の表示制御等の各種の制御を行うスイッチである。操作部６２は、釣り情報表示装置６０側の制御だけでなく、電動リール１００側の制御を行うことができる。たとえば操作部６２の操作により、棚停止等の制御を行ったり、モータ１２の回転制御等を行うことができる。
【００３６】
表示部６３は、ドットマトリックス方式の液晶ディスプレイであって、たとえばカラーＴＦＴ方式の液晶ディスプレイである。表示部６３は、電動リール１００の表示部５で表示可能な水深情報と、表示部５で表示可能な水深情報以外のリールに関する情報の他部分の情報との両方の情報が表示可能である。
【００３７】
表示部６３は、釣りモードのときは、中央に配置された４桁のドット数字表示の水深表示領域と、その下方に配置されたドット数字表示の底水深表示領域と、水深表示領域の右側に配置された変速段数表示領域とを有している。また、表示部６３には、「底から」、「学習」、「指定」、「下巻」、「修正」、「入力」、「糸送止」、「０セット」の８つの文字を切り換えてドット表示可能である。「底から」の文字は、水深表示モードが底からモードの時に表示される。底からモードとは、仕掛けの水深を底基準で表示するモードである。なお、通常は、仕掛けの水深は水面基準（上からモード）で表示される。また、「学習」から「入力」までの文字は、糸巻モードの種類を示しており、いずれかが択一的に選択されると選択された糸巻モードの文字が表示される。また、表示部６３は、情報モードのときは、ヘルプ表示や、誘いデータに関する設定や、各種の設定を行うためのオプション情報が表示可能である。このオプション情報表示画面では、水深情報以外の付加的な情報を表示したり、各種の設定を行うことができる。
【００３８】
通信部６５は、図２に示すように、電動リール１００に設けられた通信部４４及び魚群探知機９０の通信部と無線通信可能である。また、釣り情報表示装置６０と図示しない外部電源とは、鰐口式のコードにより連結され、これにより電力が供給されている。
【００３９】
本体部６４は、図３に示すように、各種の電気部品が収納される図３裏側の金属製のケース部材と、表示部６３が設けられる図３表側の合成樹脂製のケース部材とを有するボックス形状のケース部材である。本体部６４の図３表側の表示部６３に対して下部及び両側部には、釣り情報表示装置６０を釣人Ｐの脚部Ｌに着脱自在に取付可能な取付用具７０を構成する後述する第１取付用具７４及び第２取付用具７５がそれぞれ設けられている。
【００４０】
取付用具７０は、図３から図５に示すように、釣り情報表示装置６０を釣人Ｐの脚部Ｌに着脱自在に取り付けるための部材であって、図４に示す釣人Ｐが立った姿勢で表示部６３が上面に位置するように釣り情報表示装置６０を釣人Ｐの大腿部Ｌ１（太もも部分）に取り付け可能な第１取付用具７４と、図５に示す釣人Ｐが座った姿勢で表示部が上面に位置するように釣り情報表示装置６０を釣人Ｐの大腿部Ｌ１に取り付け可能な第２取付用具７５とを有している。
【００４１】
第１取付用具７４は、図３及び図４に示すように、釣人Ｐが立った姿勢で表示部６３が常に上面に位置するように釣り情報表示装置６０を釣人Ｐの大腿部Ｌ１に着脱自在に取り付けるためのものである。第１取付用具７４は、本体部７１と、本体部７１の一端側に設けられ釣り情報表示装置６０に取付固定される第１取付部７２と、本体部７１の他端側に設けられ釣人Ｐの大腿部Ｌ１に着脱自在に取付可能な第２取付部７３とを有している。本体部７１は、合成樹脂製のジョイント部材であって、図３上側の第１取付部７２が釣り情報表示装置６０の下部に固定され、図３下側の第２取付部７３（たとえばジョイント突起）が釣人Ｐの大腿部Ｌ１のウェーダー等の釣り用衣類等の表面に固定された図示しないジョイント凹部に着脱自在に装着される。第２取付部７３は、図４に示すように、釣人Ｐの大腿部Ｌ１に対して略直交する方向に取り付けられており、このため、釣人Ｐが立った姿勢で釣り情報表示装置６０の上面に配置された表示部６３が常に上面に位置するようになっている。
【００４２】
第２取付用具７５は、図３及び図５に示すように、釣人Ｐが座った姿勢で表示部６３が常に上面に位置するように釣り情報表示装置６０を釣人Ｐの大腿部Ｌ１に着脱自在に取り付けるためのものである。第２取付用具７５は、釣り情報表示装置６０の図３左右両側設けられた本体部７１と、本体部７１の一端側に設けられ釣り情報表示装置６０に取付固定される第１取付部７２と、本体部７１の他端側に設けられ釣人Ｐの大腿部Ｌ１に着脱自在に取付可能な第２取付部７３とを有している。本体部７１は、幅広布製のベルト部材であって、本体部７１の一端側の第１取付部７２が釣り情報表示装置６０の両側部（図３左側及び右側）に固定され、ベルト状の本体部７１を釣人Ｐの大腿部Ｌ１の周囲に巻き付け、本体部７１の他端側の表面に形成された図示しない面ファスナからなる第２取付部７３を結合することによって、釣り情報表示装置６０が釣人Ｐの大腿部Ｌ１に着脱自在に装着される。第１取付部７２は、図３に示すように、ベルト形状の本体部７１を釣り情報表示装置６０に形成された図示しない挿通穴部に挿通することによって釣り情報表示装置６０に取り付け固定する。第２取付部７３は、図５に示すように、釣人Ｐの大腿部Ｌ１に沿った方向に取り付けられており、このため、釣人Ｐが座った姿勢で釣り情報表示装置６０の上面に配置された表示部６３が常に上面に位置するようになっている。釣り情報表示装置に取付固定される第１取付部と、釣人の脚部に着脱自在に取付可能な第２取付部とを有している。
【００４３】
このような釣り情報表示装置６０を釣人Ｐの脚部Ｌに着脱自在に取り付けるための取付用具７０では、釣り情報表示装置６０に取付固定される第１取付部７２と、釣人Ｐの大腿部Ｌ１に着脱自在に取付可能な第２取付部７３とを有している。このような構成の取付用具７０を設けることによって、釣人Ｐの正面側かつ腕部より下側の部位である釣人Ｐの大腿部Ｌ１に釣り情報表示装置６０を着脱自在に装着することができるので、釣人Ｐが釣竿Ｒを持って釣座を移動したときでも、釣人Ｐの正面側かつ腕部より下側の部位である釣人Ｐの大腿部Ｌ１に装着された釣り情報表示装置６０の表示部６３を視認することができる。さらに、ジギング等の魚とやりとりを行っている最中において、釣竿Ｒや釣人Ｐの腕を激しく動かしたときでも、釣人Ｐの正面側かつ腕部より下側の部位である釣人Ｐの大腿部Ｌ１に装着された釣り情報表示装置６０の表示部６３を視認することができる。したがって、釣人Ｐが釣座を移動したり、魚とやりとりを行っている最中においても、釣り情報表示装置６０を視認することができる。
【００４４】
〔他の実施形態〕
（ａ）  前記実施形態では、電動リール１００及び魚群探知機９０と無線通信可能な釣り情報表示装置６０を例にあげて説明したが、釣り情報表示装置６０はこれに限定されるものではなく、電動リール１００及び魚群探知機９０の一方のみと無線通信させるようにしてもよいし、さらにＧＰＳ等の他の機器と無線通信させるようにしてもよい。また、釣人Ｐの脚部Ｌに取り付け可能であれば、電動リール１００及び魚群探知機９０と釣り情報表示装置６０とを有線通信させる構成にしてもよい。
【００４５】
（ｂ）  前記実施形態では、取付用具７０は、第１取付用具７４と第２取付用具７５とを有してが、図６及び図７に示すように、第１取付用具７４又は第２取付用具７５の一方のみ（図６及び図７では、第１取付用具７４のみ設けたものを示している）を有する構成にしてもよい。
【００４６】
（ｃ）  前記実施形態では、第２取付部７３は、釣人Ｐの正面側かつ腕部より下側の部位である釣人Ｐの大腿部Ｌ１に着脱自在に取付可能であったが、図６及び図７に示すように、釣人Ｐの正面側かつ腕部より下側の部位である釣人Ｐの下腿部Ｌ２（すね部分）に第２取付部７３を着脱自在に取付可能な構成にしてもよい。
【００４７】
（ｄ）  前記実施形態では、第２取付部７３は、釣人Ｐの正面側かつ腕部より下側の部位である釣人Ｐの脚部Ｌに着脱自在に取付可能であったが、釣人Ｐの正面側かつ腕部より下側の部位であれば、釣人Ｐの視界の範囲内となる、正面側の胸部、腹部、腰部等に第２取付部７３を着脱自在に取付可能な構成にしてもよい。具体的には、フローティングベスト等の釣り用衣類等の表面に第２取付部７３を着脱自在に取り付け、釣人Ｐの胸部に第２取付部７３を着脱自在に取り付けるようにしてもよいし、ベルトやウエストポーチ等の表面に第２取付部７３を着脱自在に取り付け、釣人Ｐの腰部に第２取付部７３を着脱自在に取り付けるようにしてもよい。この場合には、釣人Ｐが立った姿勢と釣人Ｐが座った姿勢とに姿勢を変更したときに、釣人Ｐの胸部や腹部や腰部等と、釣人Ｐの頭部との相対位置（角度）が大きく変わらないので、表示部５の画面が一定方向を向くよう取り付け固定した場合でも、釣人Ｐの動作によって視認性が大きく変化しにくくなる。
【００４８】
（ｅ）  前記実施形態では、第２取付部７３は、表示部６３の向きは常に上面を向くように所定の向きで固定されていたが、たとえば第２取付部７３に揺動自在かつ揺動位置固定可能な機構を設け、表示部６３の向きを変更する向き調整機構を有する構成にしてもよい。
【００４９】
（ｆ）  前記実施形態では、第１取付部７２は、釣り情報表示装置６０に固定されていたが、釣り情報表示装置６０に第１取付部７２を着脱自在に装着する構成にしてもよい。
【００５０】
（ｇ）  前記実施形態では、釣り情報表示装置６０は、比較的小型の表示装置であったが、表示装置の大きさは、これに限定されるものではなく、たとえば携帯電話程度の大きさとなるようにさらに小型の表示装置であってもよい。また、釣り情報表示装置６０の周囲を覆うように装着されラバーやシリコン樹脂等からなる保護部材をさらに設けてもよい。この場合には、釣人がジギング等を行っているときに不意に船縁等に釣人Ｐの大腿部Ｌ１に取り付けられた釣り情報表示装置６０をぶつけてしまったとしても、保護部材を設けることによって釣り情報表示装置６０に対する衝撃を和らげることができる。
【符号の説明】
【００５１】
１  リール本体
２  ハンドル
３  スタードラグ
４  カウンタケース
５  表示部
６  操作部
７  フレーム
７ａ  第１側板
７ｂ  第２側板
８  連結部材
９ａ  第１側カバー
９ｂ  第２側カバー
１０  スプール
１１  クラッチレバー
１２  モータ
１３  速度変更レバー
３０  制御部
３１  ＰＷＭ駆動回路
４０  ブザー
４１  スプールセンサ
４２  スプールカウンタ
４３  記憶部
４４  通信部
６０  釣り情報表示装置
６１  制御部
６２  操作部
６３  表示部
６４  本体部
６５  通信部
６６  記憶部
７０  取付用具
７１  本体部
７２  第１取付部
７３  第２取付部
７４  第１取付用具
７５  第２取付用具
９０  魚群探知機
１００  電動リール
Ｌ  脚部
Ｌ１  大腿部
Ｌ２  下腿部
Ｐ  釣人
Ｒ  釣竿
【図１】
2011078372.tif 000003
【図２】
2011078372.tif 000004
【図３】
2011078372.tif 000005
【図４】
2011078372.tif 000006
【図５】
2011078372.tif 000007
【図６】
2011078372.tif 000008
【図７】
2011078372.tif 000009